(57)【特許請求の範囲】
【請求項１】
列車の屋根上を撮影する撮影手段と、前記撮影手段によって撮影された入力画像を画像処理することによりパンタグラフの状態を監視する画像処理手段とを備えたパンタグラフ監視装置において、
前記画像処理手段が、予め登録される基準画像上のパンタグラフの舟体に設置されているすり板と、前記入力画像上の前記すり板とを比較して前記すり板の状態を監視するパンタグラフ状態検査処理手段を備え、
前記パンタグラフ状態検査処理手段が、
前記入力画像を取り込む画像データ入力手段と、
パンタグラフ検出情報を取得するパンタグラフ検出情報入力手段と、
前記すり板に対する検査範囲、前記小領域の大きさ及び前記小領域を設定する間隔からなる検査設定情報を出力する検査設定手段と、
前記パンタグラフ検出情報に基づいて前記入力画像上のパンタグラフの相対位置を計算するパンタグラフ相対位置計算手段と、
前記基準画像と前記入力画像の前記舟体に対し順次同一位置に同一形状の小領域を設定する検査小領域設定手段と、
各前記小領域内の画像を比較する検査小領域画像比較手段と、
前記小領域ごとに異常の有無を判断する比較判断手段と、
一つの前記入力画像に対して該入力画像上の前記小領域の位置と該小領域における異常の有無とを対応させてなる検査小領域異常結果データを作成する検査小領域異常結果データ整理手段と、
前記検査小領域異常結果データを出力する結果データ出力手段と
を備え、
前記検査小領域設定手段が、
前記検査設定情報に基づいて前記基準画像上の前記小領域の位置を出力する検査小領域設定位置指定手段と、
前記パンタグラフの相対位置と前記基準画像上の前記小領域の位置とに基づいて前記入力画像上の前記小領域の位置を求める検査小領域位置座標変換手段と
からなることを特徴とするパンタグラフ監視装置。
【請求項２】
前記パンタグラフ状態検査処理手段が、異常ありと判断された相互に隣接する前記小領域をまとめてなる異常検出部分を検出し、該異常検出部分の位置及び該異常検出部分に含まれる前記小領域の個数を出力する異常結果検出手段を備える
ことを特徴とする請求項１記載のパンタグラフ監視装置。
【発明の詳細な説明】
【技術分野】
【０００１】
本発明は、列車の屋根上を撮影した画像を解析してパンタグラフの状態を検査する装置に関し、特にパンタグラフの舟体に設置されているすり板の欠けや抉れの有無を画像処理により検出するパンタグラフ監視装置に関する。
【背景技術】
【０００２】
従来、列車の屋根上を撮影した画像を解析してパンタグラフの状態を検査する装置として、すり板の厚さを計測する装置が提案されている。例えば、特許文献１では、フラッシュランプを照射して斜め上方からパンタグラフを撮影した画像を用い、すり板上面とすり板と舟体との結合面ラインを撮影画像の輝度差から検出し、すり板上面のエッジと結合面ラインのエッジの間の距離としてすり板の厚さを求める装置が開示されている。
【０００３】
また、特許文献２では、ストロボ照射して水平よりもやや斜め下方からパンタグラフを撮影した画像を用い、画像中から濃淡エッジを検出し、そのエッジを繋ぐことによってすり板上面座標値とすり板下面座標値を求め、これらの座標値の差分からすり板の厚さを求める装置が開示されている。
【先行技術文献】
【特許文献】
【０００４】
【特許文献１】特開２００４−３１２８３２号公報
【特許文献２】特開２００２−１５０２７１号公報
【発明の概要】
【発明が解決しようとする課題】
【０００５】
特許文献１，２に記載されている装置は、パンタグラフを撮影した画像を解析することにより、パンタグラフの舟体に設置されているすり板の厚さを計測する装置である。このため、パンタグラフの状態としてすり板の摩耗具合を検査することができる。すり板の摩耗は、電気列車への電力供給のため架線とすり板が走行中に常時接触することによりすり板が徐々に削れることで発生するものである。
【０００６】
しかしながら、すり板に発生する異常としては、摩耗に加えて、図９に示すように、パンタグラフ１ａの舟体に設置されているすり板１ｂに部分的に発生する欠け１３や、図１０に示すような抉れ１４がある。すり板の欠け１３や抉れ１４は、すり板１ｂに発生した大小の破損である。これは、列車走行中に何らかの原因で架線を支える周辺構造物がすり板１ｂに接触することにより発生する。
【０００７】
図９及び図１０に示すように、すり板１ｂに欠け１３や抉れ１４が発生した状態で列車が走行を続けると、すり板１ｂと接触する架線および架線を支える周辺構造物に損傷を与える可能性がある。このため、すり板１ｂに発生した欠け１３や抉れ１４の度合いによっては列車を止めて架線および周辺構造物の損傷を抑える必要がある。
【０００８】
このようなことから本発明は、列車の屋根上を撮影した画像を解析して、パンタグラフの舟体に設置されているすり板の欠けや抉れの有無を検出することを可能としたパンタグラフ監視装置を提供することを目的とする。
【課題を解決するための手段】
【０００９】
上記の課題を解決するための第１の発明に係るパンタグラフ監視装置は、列車の屋根上を撮影する撮影手段と、前記撮影手段によって撮影された入力画像を画像処理することによりパンタグラフの状態を監視する画像処理手段とを備えたパンタグラフ監視装置において、前記画像処理手段が、予め登録される基準画像上のパンタグラフの舟体に設置されているすり板と、前記入力画像上の前記すり板とを比較して前記すり板の状態を監視するパンタグラフ状態検査処理手段を備え、前記パンタグラフ状態検査処理手段が、前記入力画像を取り込む画像データ入力手段と、パンタグラフ検出情報を取得するパンタグラフ検出情報入力手段と、前記すり板に対する検査範囲、前記小領域の大きさ及び前記小領域を設定する間隔からなる検査設定情報を出力する検査設定手段と、前記パンタグラフ検出情報に基づいて前記入力画像上のパンタグラフの相対位置を計算するパンタグラフ相対位置計算手段と、前記基準画像と前記入力画像の前記舟体に対し順次同一位置に同一形状の小領域を設定する検査小領域設定手段と、各前記小領域内の画像を比較する検査小領域画像比較手段と、前記小領域ごとに異常の有無を判断する比較判断手段と、一つの前記入力画像に対して該入力画像上の前記小領域の位置と該小領域における異常の有無とを対応させてなる検査小領域異常結果データを作成する検査小領域異常結果データ整理手段と、前記検査小領域異常結果データを出力する結果データ出力手段とを備え、前記検査小領域設定手段が、前記検査設定情報に基づいて前記基準画像上の前記小領域の位置を出力する検査小領域設定位置指定手段と、前記パンタグラフの相対位置と前記基準画像上の前記小領域の位置とに基づいて前記入力画像上の前記小領域の位置を求める検査小領域位置座標変換手段とからなることを特徴とする。
【００１２】
また、第２の発明に係るパンタグラフ監視装置は、第１の発明に係るパンタグラフ監視装置において、前記パンタグラフ状態検査処理手段が、異常ありと判断された相互に隣接する前記小領域をまとめてなる異常検出部分を検出し、該異常検出部分の位置及び該異常検出部分に含まれる前記小領域の個数を出力する異常結果検出手段を備えることを特徴とする。
【発明の効果】
【００１４】
上述した第１の発明に係るパンタグラフ監視装置によれば、列車の屋根上を撮影する撮影手段と、撮影手段によって撮影された入力画像を画像処理することによりパンタグラフの状態を監視する画像処理手段とを備えたパンタグラフ監視装置において、画像処理手段が、予め登録される基準画像上のパンタグラフの舟体に設置されているすり板と、入力画像上のすり板とを比較してすり板の状態を監視するパンタグラフ状態検査処理手段を備えるので、列車の屋根上を撮影した画像を解析して、パンタグラフの舟体に設置されたすり板欠けや抉れの有無を検出することができ、架線および架線を支える周辺構造物の損傷を防止することができる。
また、パンタグラフ状態検査処理手段が、基準画像と入力画像の舟体に対し順次同一位置に同一形状の小領域を設定する検査小領域設定手段と、各小領域内の画像を比較する検査小領域画像比較手段と、小領域ごとに異常の有無を判断する比較判断手段とを備えるので、すり板に発生した欠け及び抉れを高精度に検出することができる。
また、パンタグラフ状態検査処理手段が、一つの入力画像に対して該入力画像上の小領域の位置と該小領域における異常の有無とを対応させてなる検査小領域異常結果データを作成する検査小領域異常結果データ整理手段を備えるので、すり板に発生した欠け及び抉れの詳細な情報を取得することができる。
また、パンタグラフ状態検査処理手段が、入力画像を取り込む画像データ入力手段と、パンタグラフ検出情報を取得するパンタグラフ検出情報入力手段と、すり板に対する検査範囲、小領域の大きさ及び小領域を設定する間隔からなる検査設定情報を出力する検査設定手段と、パンタグラフ検出情報に基づいて入力画像上のパンタグラフの相対位置を計算するパンタグラフ相対位置計算手段と、検査小領域異常結果データを出力する結果データ出力手段とを備え、検査小領域設定手段が、検査設定情報に基づいて基準画像上の小領域の位置を出力する検査小領域設定位置指定手段と、パンタグラフの相対位置と基準画像上の小領域の位置とに基づいて入力画像上の小領域の位置を求める検査小領域位置座標変換手段とからなるので、すり板に発生した欠けや抉れを確実に検出することができる。
【００１７】
また、第２の発明に係るパンタグラフ監視装置によれば、パンタグラフ状態検査処理手段が、異常ありと判断された相互に隣接する小領域をまとめてなる異常検出部分を検出し、該異常検出部分の位置及び該異常検出部分に含まれる小領域の個数を出力する異常結果検出手段を備えるので、すり板に発生した欠けや抉れの度合いを判断する情報を提示することができる。
【図面の簡単な説明】
【００１９】
【図１】本発明の実施例１に係るパンタグラフ監視装置の設置例を示す説明図である。
【図２】本発明の実施例１に係るパンタグラフ状態検査処理部の概略構成を示すブロック図である。
【図３】図３（ａ）は基準パンタグラフ画像に設定された検査小領域の例を示す説明図、図３（ｂ）は検査パンタグラフ画像に設定された検査小領域の例を示す説明図である。
【図４】本発明の実施例１における検査範囲の設定例を示す説明図である。
【図５】本発明の実施例１における検査小領域サイズ及び検査小領域間隔の設定例を示す説明図である。
【図６】本発明の実施例２に係るパンタグラフ状態検査処理部の概略構成を示すブロック図である。
【図７】本発明の実施例２における異常検出領域の検出例を示す説明図である。
【図８】本発明の実施例２における異常検出部分の検出例を示す説明図である。
【図９】パンタグラフのすり板に発生した欠けの例を示す説明図である。
【図１０】パンタグラフのすり板に発生した抉れの例を示す説明図である。
【発明を実施するための形態】
【００２０】
以下、図面を参照しつつ本発明に係るパンタグラフ監視装置の詳細を説明する。
【実施例１】
【００２１】
図１乃至図５に基づいて本発明に係るパンタグラフ監視装置の第１の実施例について説明する。図１は本実施例に係るパンタグラフ監視装置の設置例を示す説明図、図２は本実施例に係るパンタグラフ状態検査処理部の概略構成を示すブロック図、図３は検査小領域の例を示す説明図、図４は本実施例における検査範囲の設定例を示す説明図、図５は本実施例における検査小領域サイズ及び検査小領域間隔の設定例を示す説明図である。
【００２２】
図１に示すように、本実施例においてパンタグラフ監視装置は、列車１の接近を検知するためのセンサ２、列車１の屋根上を照らす照明装置３、列車１の屋根上の照明装置３によって照らされる領域を撮影する撮影手段としての監視カメラ４、及びこれらセンサ２、照明装置３及び監視カメラ４に接続された画像処理手段としての画像処理装置５から構成されている。
【００２３】
センサ２は、例えばレール６の振動等を測定するものであり、レール６に取り付けられるとともに列車接近警報手段としての列車接近警報部（図示せず）に接続されている。列車接近警報部は、センサ２の出力に応じて列車１の接近の有無を検知するものであり、列車１が接近していると判断した場合には警報として列車接近信号を画像処理装置５の後述する撮影処理部５Ａへ送信する。
【００２４】
照明装置３は、センサ２に対して列車１の進行方向前方に設置され、撮影処理部５Ａからの信号に基づいて点灯及び消灯を行うように構成されている。
【００２５】
監視カメラ４は、照明装置３と概ね同位置に、列車１の屋根上の照明装置３によって照らされた領域を撮影するように設置され、撮影処理部５Ａからの信号に基づいて撮影の開始、終了を行うように構成されている。この監視カメラ４によって撮影した画像は画像処理装置５の後述するパンタグラフ検索処理部５Ｂへ送信される。
【００２６】
なお、照明装置３及び監視カメラ４が設置される位置は、センサ２から所定の距離だけ離間した位置、例えば、センサ２の出力に基づいて監視カメラ４を起動したときに、列車１がこの監視カメラ４の視野内に進入する直前にこの監視カメラ４による撮影を開始することができる位置とする。
【００２７】
画像処理装置５は、パンタグラフ１ａの撮影を制御する撮影処理部５Ａと、監視カメラ４によって撮影された画像中からパンタグラフ１ａを検出するパンタグラフ検索処理部５Ｂと、監視カメラ４によって撮影されたパンタグラフ１ａの画像を解析してパンタグラフ１ａの舟体部分（以下、パンタグラフ舟体と呼称する）に設置されたすり板１ｂ（図３等参照）の欠けや抉れを検出するパンタグラフ状態検査処理手段としてのパンタグラフ状態検査処理部５Ｃとから構成されている。
【００２８】
撮影処理部５Ａは、センサ２、照明装置３、及び監視カメラ４を制御して通過する列車１の屋根上を撮影する処理を行う部分である。
【００２９】
パンタグラフ検出処理部５Ｂは、撮影処理部５Ａにより撮影した列車１の屋根上の画像からパンタグラフ１ａの画像を検出し、この画像上のパンタグラフ１ａの位置等をパンタグラフ検出情報として画像のデータとともに出力する処理を行う部分である。
【００３０】
パンタグラフ状態検査処理部５Ｃは、パンタグラフ検索処理部５Ｂにより検出したパンタグラフ１ａの画像を解析して、すり板１ｂの欠けや抉れの有無を検出する処理を行う部分である。
【００３１】
ここで、撮影処理部５Ａ及びパンタグラフ検索処理部５Ｂにおける処理は既知の手法（例えば、特願２００９−０１４８５０等参照）を用いるものとし、詳細な説明は省略する。
【００３２】
以下、パンタグラフ状態検査処理部５Ｃについて詳細に説明する。パンタグラフ状態検査処理部５Ｃは、図２に示すように、画像データ入力手段としての画像データ入力部５ａ、パンタグラフ検出情報入力手段としてのパンタグラフ検出情報入力部５ｂ、検査設定手段としての設定部５ｃ、記憶部５ｄ、パンタグラフ相対位置計算手段としてのパンタグラフ相対位置計算部５ｅ、検査小領域設定位置指定手段としての検査小領域位置指定部５ｆ、検査小領域位置座標変換手段としての検査小領域位置座標変換部５ｇ、検査小領域画像比較手段としての検査小領域画像比較部５ｈ、比較判断手段としての比較判断部５ｉ、検査小領域異常結果データ整理手段としての検査小領域異常結果データ整理部５ｊ、及び、結果データ出力手段としての結果データ出力部５ｋを備えている。
【００３３】
画像データ入力部５ａは、データベース（図示せず）から取り出した図３（ａ）に示すような基準パンタグラフ画像７と、監視カメラ４から取得した図３（ｂ）に示すような検査パンタグラフ画像８とを、パンタグラフ検索処理部５Ｂから入力する。これらの基準パンタグラフ画像７及び検査パンタグラフ画像８は、画像データとして記憶部５ｄに保管される。ここで、基準パンタグラフ画像７はパンタグラフ１ａを撮影した画像の中から選択されたすり板１ｂに欠けや抉れのない画像であり、データベースに予め登録しておくものとする。また、検査パンタグラフ画像８は撮影処理部５Ａにより制御され監視カメラ４で撮影した画像のうち、パンタグラフ検索処理部５Ｂにおいて検出された検査対象であるパンタグラフ１ａが撮影された画像である。
【００３４】
パンタグラフ検出情報入力部５ｂは、パンタグラフ検索処理部５Ｂから、検査パンタグラフ画像８上のパンタグラフ１ａの位置等からなるパンタグラフ検出情報を入力する。入力されたパンタグラフ検出情報は記憶部５ｄに保管される。
【００３５】
設定部５ｃは、検査範囲１０（図４参照）、検査小領域サイズＷ1，Ｗ2（図５参照）、検査小領域間隔Ｄ1，Ｄ2（図５参照）、検査小領域比較しきい値を設定し、これらを検査設定情報としてまとめる。検査設定情報は記憶部５ｄに保管される。ここで、図４に示すように検査範囲１０は画像（基準パンタグラフ画像７、検査パンタグラフ画像８）中のパンタグラフ舟体を囲む範囲、図５に示すように検査小領域サイズＷ1，Ｗ2は後述する小領域９ａ，９ｂ（以下、総称する場合は小領域９と呼称する）の大きさを決定するパラメータ、検査小領域間隔Ｄ1，Ｄ2は検査小領域９を設定する間隔を決定するパラメータであり、隣り合う検査小領域９同士が重なるように設定される。なお、小領域９ａ，９ｂは、図３に示すように基準パンタグラフ画像７および検査パンタグラフ画像８のパンタグラフ舟体上の同一位置に比較対象としてそれぞれ設定される領域である。また、検査小領域比較しきい値は基準パンタグラフ画像７と検査パンタグラフ画像８の検査小領域９に対応する部分の画像（以下、「部分画像」と呼ぶ）同士の比較結果に基づいてすり板１ｂの欠けや抉れの有無を判断するために予め設定されるしきい値である。
【００３６】
記憶部５ｄは、各処理部から出力されるデータを入力し保管するとともに、各処理部からの要求に応じて必要なデータを所望の処理部へ出力する。
【００３７】
パンタグラフ相対位置計算部５ｅは、記憶部５ｄからパンタグラフ検出情報を入力し、基準パンタグラフ画像７上のパンタグラフ１ａの位置と検査パンタグラフ画像８上のパンタグラフ１ａの位置との相対関係を算出して結果をパンタグラフ相対位置情報としてまとめる。パンタグラフ相対位置情報は記憶部５ｄに保管される。
【００３８】
要するに、図３に示すように、基準パンタグラフ画像７上のパンタグラフ１ａの位置と検査パンタグラフ画像８上のパンタグラフ１ａの位置とでは、画面に対するパンタグラフ１ａの位置が相互に異なることが考えられる。そのため、基準パンタグラフ画像７及び検査パンタグラフ画像８それぞれの画像中のすり板１ｂに対して該すり板１ｂ上の同一位置にそれぞれ小領域９ａ，９ｂを設定するためには、基準パンタグラフ画像７、検査パンタグラフ画像８それぞれの画像中のパンタグラフ１ａの位置、換言すると、基準パンタグラフ画像７上のパンタグラフ１ａの位置に対する検査パンタグラフ画像８上のパンタグラフ１ａの相対位置を把握しておく必要がある。そこで、本実施例では、該パンタグラフ相対位置計算部５ｅにおいて、パンタグラフ検出情報を基に基準パンタグラフ画像７上のパンタグラフ１ａの位置と検査パンタグラフ画像８上のパンタグラフ１ａの位置との相対関係を求める。
【００３９】
検査小領域位置指定部５ｆは、記憶部４ｄから検査範囲１０、検査小領域サイズＷ1，Ｗ2、及び、検査小領域間隔Ｄ1，Ｄ2を入力し、基準パンタグラフ画像７中の検査範囲１０内の所望の位置に基準小領域９ａを順次設定し、この基準小領域９ａの位置を基準小領域位置Ｐａ（図５参照）として出力する。基準小領域位置Ｐａは記憶部５ｄに保管される。
【００４０】
検査小領域座標変換部５ｇは、記憶部５ｄから基準小領域位置Ｐａ、及びパンタグラフ相対位置情報を入力し、基準小領域位置Ｐａに対応する検査パンタグラフ画像８中の検査範囲１０内の位置を、座標変換により検査小領域位置Ｐｂ（図３参照）として算出する。検査小領域位置Ｐｂは記憶部５ｄに保管される。このように、検査小領域座標変換部５ｇでは、パンタグラフ相対位置情報に基づいて基準小領域９ａに対応する検査パンタグラフ画像８上の位置を求めることで、基準パンタグラフ画像７、検査パンタグラフ画像８それぞれの画像上のすり板１ｂに対して、相互に同一位置にそれぞれ基準小領域９ａ、検査小領域９ｂを設定することができる。以下、基準小領域位置Ｐａと検査小領域位置Ｐｂを総称する場合は小領域位置Ｐと呼称する。
【００４１】
検査小領域画像比較部５ｈは、記憶部５ｄから基準パンタグラフ画像７、検査パンタグラフ画像８、小領域位置９を入力し、それぞれ基準小領域９ａ、検査小領域９ｂに対応する部分画像を比較する。比較結果は記憶部５ｄに保管される。ここで、二つの画像の比較は、既知の手法である絶対値差分・正規化相関・方向符号照合（文献３参照）等を用い、該検査小領域画像比較部５ｈによる処理は、検査小領域サイズＷ1，Ｗ2および、検査小領域間隔Ｄ1，Ｄ2に基づいて検査範囲１０内の全域について行うものとする。
【００４２】
比較判断部５ｉは、記憶部５ｄから比較結果と検査小領域比較しきい値を入力し、検査小領域画像比較部５ｈによる比較結果に検査小領域比較しきい値以上の差が認められればその部分に異常があると判断する。判断結果は欠け抉れ有無データとして記憶部５ｄに保管される。
【００４３】
検査小領域異常結果データ整理部５ｊは、検査小領域位置Ｐｂと欠け抉れ有無データを入力し、一枚の検査パンタグラフ画像８に対する検査小領域位置Ｐｂと欠け抉れ有無データとを関連付けてなるリストを作成し、これを検査小領域異常結果データとしてまとめる。検査小領域異常結果データは記憶部５ｄに保管される。
【００４４】
結果データ出力部５ｋは、検査小領域異常結果データを記憶部５ｄから取り出し、これをパンタグラフ状態検査結果として出力する。
【００４５】
次に、パンタグラフ状態検査処理部５Ｃによる処理の流れを簡単に説明する。本実施例のパンタグラフ状態検査処理部５Ｃでは、まず、画像データ入力部５ａ及びパンタグラフ検出情報入力部５ｂにおいて画像データ及びパンタグラフ検出情報を入力する。
【００４６】
次に、設定部５ｃ、パンタグラフ相対位置計算部５ｅ、検査小領域位置指定部５ｆ、検査小領域位置座標変換部５ｇにおいて基準パンタグラフ画像７及び検査パンタグラフ画像８に対し、それぞれ検査範囲１０内の同一位置に基準小領域９ａ、検査小領域９ｂを設定する。
【００４７】
続いて、検査小領域比較部５ｈにおいて、絶対値差分・正規化相関・方向符号照合等を用いて基準小領域９ａに対応する部分画像と、検査小領域９ｂに対応する部分画像との比較を行う。
【００４８】
その後、比較判断部５ｉにおいて、検査小領域画像比較部５ｈによる比較の結果に対し、比較結果が二つの部分画像間の差異が予め設定しておいた検査小領域比較しきい値以上か否かの判断を行い、すり板１ｂの欠けや抉れの有無を出力する。
【００４９】
続いて、検査小領域異常結果データ整理部５ｊにおいて小領域位置Ｐと比較判断部５ｉによって判定した欠け抉れの有無と関連付けてなる検査小領域異常結果データを作成し、これを結果データ出力部５ｋにおいてパンタグラフ状態検査結果として出力する。
これらの処理を検査が終了するまで繰り返す。
【００５０】
このように構成される本実施例に係るパンタグラフ監視装置によれば、監視カメラ４によって列車１の屋根上を撮影した画像からすり板１ｂの欠けや抉れの有無を検出することができる。
【実施例２】
【００５１】
図６乃至図８を用いて本発明に係るパンタグラフ監視装置の第２の実施例を説明する。図６は本実施例に係るパンタグラフ状態検査処理部の概略構成を示すブロック図、図７は本実施例に係るパンタグラフ監視装置により検出される異常検査小領域の一例を示す説明図、図８は本実施例に係るパンタグラフ監視装置によって検出された異常検出部分の一例を示す説明図である。
【００５２】
本実施例に係るパンタグラフ監視装置は、上述した実施例１のパンタグラフ監視装置に図６に示す異常結果検出手段としての異常結果検出部５ｌを追加したものである。その他の構成は図２に示し上述した構成と同様であり、以下、実施例１において説明した手段と同様の手段には同一の符合を付して重複する説明を省略し、異なる点を中心に説明する。
【００５３】
図６に示すように、異常結果検出部５ｌは、記憶部５ｄから検査小領域異常結果データと検査小領域サイズＷ1，Ｗ2を取り出し、図７に示すような重なり合う複数個（図７では１０個）の異常検査小領域１１の集合を、図８に示すように一つの異常検出部分１２として検出する。そして、一枚の検査パンタグラフ画像８における異常検出部分１２の位置とそこに含まれる異常検査小領域１１の個数を異常検出結果データとしてまとめる。異常検出結果データは記憶部５ｄに保管される。ここで、異常検査小領域１１は比較判断部５ｉにおいて異常が発見された検査小領域９、異常検出部分１２は重なり合う複数個の異常検査小領域１１を一体的にまとめてなる矩形領域である。
【００５４】
そして、本実施例において結果データ出力部５ｋは、実施例１の結果データ出力部５ｋにおける処理に加えて、異常検出結果データを記憶部５ｄから取り出し出力する。
【００５５】
次に、本実施例のパンタグラフ状態検査処理部５Ｃによる処理を簡単に説明する。本実施例においてパンタグラフ状態検査処理部５Ｃでは、実施例１に係るパンタグラフ状態検査処理に比較して、比較判断部５ｉにおいて、検査小領域比較しきい値に基づいてすり板１ｂの欠けや抉れの有無を出力する処理を行った後の処理が異なるものである。以下、比較判断部５ｉによる処理を行うまでの工程については実施例１と同様であるので説明を省略する。
【００５６】
本実施例のパンタグラフ状態検査処理部５Ｃにおいては、上述した比較判断部５ｉによる処理の後、異常結果検出部５ｌにより重なり合う複数個の異常検査小領域１１の集合を異常検出部分１２として検出し、一枚の検査小領域８に含まれる異常検出部分１２の位置とそこに含まれる検査小領域９ｂの個数とを異常検出結果データとしてまとめる。その後、結果データ出力部５ｋにより検査小領域異常結果データ及び異常検出結果データをパンタグラフ状態検査結果として出力する。これらの処理を検査が終了するまで繰り返す。
【００５７】
上述した本実施例に係るパンタグラフ監視装置によれば、実施例１に係るパンタグラフ監視装置による効果に加え、すり板１ｂの欠けや抉れの規模を取得することができ、架線および架線を支える周辺構造物に損傷を与える危険性が非常に高い、すり板１ｂの大きな破損の検出を容易に行うことができる。
【００５８】
なお、本発明は上述した実施例に限定されるものではなく、本発明の趣旨を逸脱しない範囲で種々の変更が可能であることはいうまでもない。例えば、実施例１，２では、各処理部から出力されるデータを記憶部５ｄに保管するとともに、各処理部からの要求に応じて必要なデータを記憶部５ｄから所望の処理部へ出力する例を示したが、例えば、各処理部から出力されるデータは、直接所望の処理部へ入力してもよい。
【産業上の利用可能性】
【００５９】
本発明は、列車の屋根上を撮影した画像を解析してパンタグラフの状態を検査する装置に関し、特にパンタグラフの舟体に設置されているすり板の欠けや抉れの有無を検出するパンタグラフ監視装置に適用して好適なものである。
【符号の説明】
【００６０】
１…列車、１ａ…パンタグラフ、１ｂ…すり板、２…センサ、３…照明装置、４…監視カメラ、５…画像処理装置、５Ａ…撮影処理部、５Ｂ…パンタグラフ検索処理部、５Ｃ…パンタグラフ状態検査処理部、５ａ…画像データ入力部、５ｂ…パンタグラフ検出情報入力部、５ｃ…設定部、５ｄ…記憶部、５ｅ…パンタグラフ相対位置計算部、５ｆ…検査小領域位置指定部、５ｇ…検査小領域位置座標変換部、５ｈ…検査小領域画像比較部、５ｉ…比較判断部、５ｊ…検査小領域異常結果データ整理部、５ｋ…結果データ出力部、５ｌ…異常結果検出部、６…レール、７…基準パンタグラフ画像、８…検査パンタグラフ画像、９，９ａ，９ｂ…検査小領域、１０…検査範囲、１１…異常検査小領域、１２…異常検出部分、１３…欠け、１４…抉れ
【図１】
0005481232.tif 000002
【図２】
0005481232.tif 000003
【図３】
0005481232.tif 000004
【図４】
0005481232.tif 000005
【図５】
0005481232.tif 000006
【図６】
0005481232.tif 000007
【図７】
0005481232.tif 000008
【図８】
0005481232.tif 000009
【図９】
0005481232.tif 000010
【図１０】
0005481232.tif 000011